(57)【特許請求の範囲】
【請求項１】
粉粒物を収納する有底筒状の内容物収納部、及び該内容物収納部に並設され計量具を収納する有底筒状の計量具収納部を備えた容器本体と、該容器本体の開口部を塞ぐ蓋体とを備えた粉粒物用容器において、
前記計量具収納部は、その開口部が前記内容物収納部の開口部に対向するように、回動可能に前記内容物収納部にヒンジによって蝶着され、
前記計量具収納部は、その側壁部が、前記内容物収納部の側壁部と離間し、
前記計量具収納部の側壁部と、前記計量具収納部の側壁部に対向する前記内容物収納部の側壁部とは、前記容器本体の底部から開口部に向かって漸次近づくものとされ、
前記内容物収納部には、第一の嵌合部が設けられ、前記内容物収納部の開口部と前記計量具収納部の開口部とが略面一とされた際に、前記第一の嵌合部と嵌合する第二の嵌合部が前記計量具収納部に設けられ、
前記第一の嵌合部は、前記内容物収納部の外面に設けられ、その高さ方向に延びる凸条であり、前記第二の嵌合部は、前記計量具収納部の外面に設けられ、その高さ方向に延びる凹条であり、
前記内容物収納部、前記計量具収納部、前記ヒンジ、前記第一の嵌合部及び前記第二の嵌合部は一体成形されていることを特徴とする粉粒物用容器。
【請求項２】
粉粒物を収納する有底筒状の内容物収納部、及び該内容物収納部に並設され計量具を収納する有底筒状の計量具収納部を備えた容器本体と、該容器本体の開口部を塞ぐ蓋体とを備えた粉粒物用容器において、
前記計量具収納部は、その開口部が前記内容物収納部の開口部に対向するように、回動可能に前記内容物収納部にヒンジによって蝶着され、
前記計量具収納部は、その側壁部が、前記内容物収納部の側壁部と離間し、
前記計量具収納部の側壁部と、前記計量具収納部の側壁部に対向する前記内容物収納部の側壁部とは、前記容器本体の底部から開口部に向かって漸次近づくものとされ、
前記内容物収納部には、第一の嵌合部が設けられ、前記内容物収納部の開口部と前記計量具収納部の開口部とが略面一とされた際に、前記第一の嵌合部と嵌合する第二の嵌合部が前記計量具収納部に設けられ、
前記第一の嵌合部は、前記内容物収納部の外面に設けられ、その高さ方向に延びる凹条であり、前記第二の嵌合部は、前記計量具収納部の外面に設けられ、その高さ方向に延びる凸条であり、
前記内容物収納部、前記計量具収納部、前記ヒンジ、前記第一の嵌合部及び前記第二の嵌合部は一体成形されていることを特徴とする粉粒物用容器。
【請求項３】
前記容器本体の内面形状は、前記容器本体の外面形状を嵌入可能であることを特徴とする請求項１又は２に記載の粉粒物用容器。
【発明の詳細な説明】
【技術分野】
【０００１】
本発明は、粉粒物用容器に関する。
【背景技術】
【０００２】
衣料用洗濯洗剤や自動食器洗浄機用洗剤等の粉粒物を収納する粉粒物用容器としては、計量スプーンを付属させた箱状の容器が知られている。
箱状の容器の使用方法は、まず蓋を開け、付属の計量スプーンで粉粒物を掬い取って計量し、計量した粉粒物を洗濯機や自動食器洗浄機等に投入するものである。箱型の容器では、計量スプーンを容器内に入れて保管するため、内容物に埋没したり、繰り返し使用しているうちに計量スプーンの持ち手部分に内容物が付着し、この付着した内容物により手指が汚染されるという問題がある。
【０００３】
従来、こうした問題に対し、スプーン入れを洗剤収納箱の側面で上縁に吊り下げた粉末洗剤用スプーンの収納具が提案されている（例えば、特許文献１）。この発明によれば、スプーンは、内容物を収納する空間から隔離して収納されるため、内容物に埋没したり、持ち手に内容物が付着しにくくなる。
また、例えば、容器内にスプーンを装着する構造を備えた容器が提案されている。
特許文献２には、スプーンの柄を係止するための係止部を設けた計量スプーン付き容器が提案されている。
特許文献３には、容器蓋裏にスプーンを着脱可能に装着した調味料収納容器が提案されている。
特許文献４には、容器の相対する側壁部の上部にスプーン載置部を設け、スプーンを橋渡しするようにして収納したスプーン付き容器が提案されている。
特許文献５には、容器本体の開口部に対向する両側壁にわたってすり切り部が架設され、すり切り部とすり切り部から空間を置いて対向するフランジ部とにスプーンを掛け渡してスプーンを収納する調味料収納容器が提案されている。
特許文献２〜５の発明によれば、計量スプーンの持ち手が内容物に埋没し、持ち手に内容物が付着することの防止が図られている。
【先行技術文献】
【特許文献】
【０００４】
【特許文献１】登録実用新案第３０１６９３１号公報
【特許文献２】特開２００６−３３５３７８号公報
【特許文献３】特開２００７−１３７５１０号公報
【特許文献４】特許第３７５６５０８号公報
【特許文献５】特許第４２２６７２７号公報
【発明の概要】
【発明が解決しようとする課題】
【０００５】
しかしながら、特許文献１の発明では、スプーン収納具が洗剤収納箱と別体で構成されているため、容器に対する振動や落下等の外部からの衝撃によりスプーン収納具が洗剤収納箱から脱落するおそれがある。加えて、スプーン収納具を洗剤収納箱に組み込む必要があり、生産効率が悪い。さらに、スプーン収納具には、スプーンに付着して持ち込まれた内容物が徐々に堆積する。このため、スプーン収納具に堆積した内容物を排出するには、スプーン収納具を取り外し、かつ再度装着するという煩雑な作業を伴う。
特許文献２〜５の発明では、持ち手が内容物に埋没することは防止できるものの、計量スプーン等の計量具が内容物の収納空間で収納されるため、振動又は落下等により容器内で内容物が舞い上がったりした場合等には、内容物により計量具の持ち手が汚染されるという問題がある。加えて、これらの容器への計量具の収納方法は、使用者にとって操作自体に神経を使わせるため煩雑であるという問題がある。さらに、特許文献２、５の発明では、容器自体を重ね合わせることができず、流通過程や製造工程において、空容器を収納するための広い保管スペースが必要となる。
そこで、本発明は、煩雑な操作を伴わず、内容物への計量具の埋没と、内容物による計量具の持ち手の汚染とを防止できる粉粒物用容器を目的とする。
【課題を解決するための手段】
【０００６】
本発明の粉粒物用容器は、粉粒物を収納する有底筒状の内容物収納部、及び該内容物収納部に並設され計量具を収納する有底筒状の計量具収納部を備えた容器本体と、該容器本体の開口部を塞ぐ蓋体とを備えた粉粒物用容器において、前記計量具収納部は、その開口部が前記内容物収納部の開口部に対向するように、回動可能に前記内容物収納部に蝶着されていることを特徴とする。
前記計量具収納部は、その側壁部が、前記内容物収納部の側壁部と離間し、前記計量具収納部の側壁部と、前記計量具収納部の側壁部に対向する前記内容物収納部の側壁部とは、前記容器本体の底部から開口部に向かって漸次近づくものとされ、前記容器本体の内面形状は、前記容器本体の外面形状を嵌入可能であることが好ましい。前記内容物収納部には、第一の嵌合部が設けられ、前記内容物収納部の開口部と前記計量具収納部の開口部とが略面一とされた際に、前記第一の嵌合部と嵌合する第二の嵌合部が前記計量具収納部に設けられていることが好ましく、前記第一の嵌合部は、前記内容物収納部の外面に設けられ、その高さ方向に伸びる凸条であり、前記第二の嵌合部は、前記計量具収納部の外面に設けられ、その高さ方向に延びる凹条であることであってもよく、前記第一の嵌合部は、前記内容物収納部の外面に設けられ、その高さ方向に伸びる凹条であり、前記第二の嵌合部は、前記計量具収納部の外面に設けられ、その高さ方向に延びる凸条であってもよい。
【発明の効果】
【０００７】
本発明の粉粒物用容器によれば、内容物収納部、及び該内容物収納部に並設され計量具収納部を備えた容器本体と、該容器本体の開口部を塞ぐ蓋体とを備え、前記計量具収納部は、その開口部が前記内容物収納部の開口部に対向するように、回動可能に前記内容物収納部に蝶着されているため、煩雑な操作を伴わず、内容物への計量具の埋没と、内容物による計量具の持ち手の汚染とを防止できる。
本発明の粉粒物用容器によれば、容器本体の内面形状は、容器本体の外面形状を嵌入可能とされているため、容器本体同士を重ね合わせて保管でき、容器本体の流通・保管時の省スペース化が図れる。
本発明の粉粒物用容器によれば、前記内容物収納部には、第一の嵌合部が設けられ、前記内容物収納部の開口部と前記計量具収納部の開口部とが略面一とされた際に、前記第一の嵌合部と嵌合する第二の嵌合部が前記計量具収納部に設けられているため、計量具収納部を内容物収納部に固定し、計量具収納部の揺動を防止できる。
本発明の粉粒物用容器によれば、前記第一の嵌合部は、前記内容物収納部の外面に設けられ、その高さ方向に伸びる凸条であり、前記第二の嵌合部は、前記計量具収納部の外面に設けられ、その高さ方向に延びる凹条であるため、計量具収納部の内容物収納部に容易に固定できる。
本発明の粉粒物用容器によれば、前記第一の嵌合部は、前記内容物収納部の外面に設けられ、その高さ方向に伸びる凹条であり、前記第二の嵌合部は、前記計量具収納部の外面に設けられ、その高さ方向に延びる凸条であるため、計量具収納部の内容物収納部に容易に固定できる。
【図面の簡単な説明】
【０００８】
【図１】本発明の第一の実施形態にかかる粉粒物用容器の斜視図である。
【図２】（ａ）本発明の第一の実施形態にかかる粉粒物用容器の平面図である。（ｂ）本発明の第一の実施形態にかかる粉粒物用容器の左側面図である。（ｃ）本発明の第一の実施形態にかかる粉粒物用容器の正面図である。（ｄ）本発明の第一の実施形態にかかる粉粒物用容器の右側面図である。（ｅ）本発明の第一の実施形態にかかる粉粒物用容器の底面図である。
【図３】本発明の第一の実施形態にかかる粉粒物用容器の斜視図である。
【図４】図１の容器本体のＸ−Ｘ断面図である。
【図５】図４の容器本体の一部を拡大した斜視図である。
【図６】本発明の第一の実施形態にかかる粉粒物用容器の断面図である。
【図７】（ａ）本発明の第一の実施形態にかかる粉粒物用容器の斜視図である。（ｂ）（ａ）のＹ１−Ｙ１断面の斜視図である。
【図８】（ａ）本発明の第一の実施形態にかかる粉粒物用容器の斜視図である。（ｂ）本発明の第一の実施形態にかかる粉粒物用容器の一部を拡大した斜視図である。
【図９】図８（ａ）のＹ２−Ｙ２断面図である。
【図１０】本発明の第二の実施形態にかかる粉粒物用容器の斜視図である。
【図１１】図１０のＺ−Ｚ断面図である。
【発明を実施するための形態】
【０００９】
（第一の実施形態）
本発明の第一の実施形態にかかる粉粒物用容器について、以下に図面を参照して説明する。
図１は、第一の実施形態の粉粒物用容器１の蓋体を開いた状態の斜視図である。図２（ａ）は、粉粒物用容器１の平面図、（ｂ）は、粉粒物用容器１の左側面図、（ｃ）は、粉粒物用容器１の正面図、（ｄ）は、粉粒物用容器１の右側面図、（ｅ）は、粉粒物用容器１の底面図である。図３は、図１の粉粒物用容器１の蓋体を閉じた状態の斜視図である。なお、図中、符号７は、容器本体の底部を示すものである。
図１〜３に示すように、粉粒物用容器１は、容器本体２と、容器本体２を塞ぐ蓋体４とを備えたものであり、蓋体４は、蓋体ヒンジ５により開閉可能に容器本体２と蝶着されている。
【００１０】
容器本体２は、計量具収納部１０が内容物収納部２０に対し水平方向に並設されたものであり、全体として平面視略長方形とされている。
内容物収納部２０は、平面視略Ｌ字状の第一の底壁部２２と、この第一の底壁部２２の周縁に立設された第一の側壁部２４とからなり、上方に第一の開口部２１が形成された有底筒状のものである。内容物収納部２０は、対向する第一の側壁部２４同士が、第一の底壁部２２から第一の開口部２１に向かって漸次離れる形状とされている。
【００１１】
計量具収納部１０は、第一の底壁部２２のＬ字に囲まれた領域に位置する平面視略長方形の第二の底壁部１２と、この第二の底壁部１２の周縁に立設された第二の側壁部１４とからなり、その内部に計量スプーン等の計量具を収納するものである。計量具収納部１０は、平面視略長方形とされ、上方に第二の開口部１１が形成された有底角筒状のものであり、対向する第二の側壁部１４同士が、第二の底壁部１２から第二の開口部１１に向かって漸次離れる形状とされている。
容器本体２の開口部は、第一の開口部２１と第二の開口部１１とからなる外縁を意味する。
【００１２】
計量具収納部１０は、２つの収納部ヒンジ５０により、内容物収納部２０に蝶着されている。この収納部ヒンジ５０は、第一の側壁部２４の第一の開口部２１側と、これに対向する第二の側壁部１４の第二の開口部１１側とを接続し、第一の開口部２１に第二の開口部１１が対向するように、計量具収納部１０を回動できるものである。本実施形態において、収納部ヒンジ５０は、内容物収納部２０と計量具収納部１０との間に架設された薄肉の部材である。
【００１３】
第二の側壁部１４の内、収納部ヒンジ５０により第一の側壁部２４と接続された第二の側壁部１４ｂと、第一の側壁部２４の内、第二の側壁部１４ｂに対向する第一の側壁部２４ｂとは、底部７から容器本体２の開口部に向かって漸次近づくものとされている。
第一の側壁部２４ｂと第二の側壁部１４ｂとのなす角度θ２（図２（ｃ））は、容器本体２同士を重ね合わせた際に、任意の容器本体２の第一の側壁部２４ｂと第二の側壁部１４ｂとの間隙に、他の任意の容器本体２の第一の側壁部２４ｂと第二の側壁部１４ｂとが嵌入するものであればよい。このような観点から、角度θ２は、５〜１０°が好ましい。
【００１４】
第二の側壁部１４の内、第一の側壁部２４と対向し、かつ収納部ヒンジ５０が設けられていない第二の側壁部１４ａと、第一の側壁部２４の内、第二の側壁部１４ａに対向する第一の側壁部２４ａとは、底部７から容器本体２の開口部に向かって漸次近づくものとされている。
第一の側壁部２４ａと第二の側壁部１４ａとのなす角度θ１（図２（ｂ））は、容器本体２同士を重ね合わせた際に、任意の容器本体２の第一の側壁部２４ａと第二の側壁部１４ａとの間隙に、他の任意の容器本体２の第一の側壁部２４ａと第二の側壁部１４ａとが嵌入するものであればよい。このような観点から、角度θ１は、５〜１０°が好ましい。
【００１５】
また、容器本体２は、第一の開口部２１が内容物収納部２０の底面よりも大きいものとされ、第二の開口部１１が計量具収納部１０の底面より大きいものとされている。
以上の構成により、容器本体２の内面形状は、容器本体２の外面形状を嵌入可能とされている。
【００１６】
第一の側壁部２４ｂには、２つの収納部ヒンジ５０の略中間から第一の底壁部２２に向かって延びる凹条である第一の嵌合部６０が設けられ、第二の側壁部１４ｂには、第二の嵌合部６２が設けられている。
図５に示すように、第二の側壁部１４ｂには、第二の開口部１１から第二の底壁部１２に向かう略矩形の切欠部６３が形成され、切欠部６３の下端に第二の嵌合部６２が設けられている。第二の嵌合部６２は、底部７に略水平に第一の側壁部２４ｂに向かって突出する水平部６４と、水平部６４に対し略垂直に延設された鉛直部６６とからなる略Ｌ字状の凸条である。この第二の嵌合部６２は、その先端（嵌合部先端）６５が第一の開口部２１の周縁で、内容物収納部２０と接続されており、第一の開口部２１と第二の開口部１１とが略面一とされた際に、第一の嵌合部６０に鉛直部６６が嵌合するものとされている。
第二の嵌合部６２の大きさは、容器本体２同士を重ね合わせた状態等を勘案して決定できる。
【００１７】
本実施形態において、容器本体２は、計量具収納部１０、内容物収納部２０、収納部ヒンジ５０、第一の嵌合部６０及び第二の嵌合部６２が、一体成形されたものである。
容器本体２の材質は、例えば、ポリエチレン、ポリプロピレン、ポリエチレンテレフタレート等のプラスチックが挙げられる。
【００１８】
蓋体４は、略長方形の主壁部４２と、主壁部４２の周縁に設けられたフランジ４４とを備え、蓋体４を閉じた際に、主壁部４２が、第一の側壁部２４の上端及び第二の側壁部１４の上端に当接するものとされている。
蓋体４の材質は、容器本体２の材質と同様である。
【００１９】
粉粒物用容器１の製造方法は、例えば、蓋体４と、容器本体２とを個別に射出成形し、容器本体２に蓋体４を取り付ける方法が挙げられる。
容器本体２の成形は、図６に示す容器本体２の形状に対応するコアプレートとキャビティプレートよりなる金型を用い、前記金型内に容器本体２を構成する樹脂を射出して成形するものである。図６は、図４に示す容器本体２を射出成形した際の断面図である。金型は、容器本体２の開口部側から容器本体２の内面を形成するためのコアプレート（可動側型板：雄型）と容器本体２の底部７側から容器本体２の外面を形成するためのキャビティプレート（固定側型板：雌型）とを備え、二点鎖線ＰをＰＬ（Ｐａｒｔｉｎｇ  Ｌｉｎｅ）として嵌合されるものである。ＰＬは、第一の開口部２１面と第二の開口部１１面とが連なって形成されたものである。即ち、金型は、図６に示す容器本体２に対応するキャビティが形成されたものである。
【００２０】
図６に示すように、容器本体２は、第一の側壁部２４ｂと第二の側壁部１４ｂとが角度θ３で開いたものとされている。この角度θ３は、図４におけるθ２より大きいものとされ、鉛直部６６が第一の嵌合部６０から離脱し、かつ嵌合部先端６５のみが第一の側壁部２４ｂと接続したものとされている。
この容器本体２は、第二の側壁部１４ｂに対向する第二の側壁部１４に沿った外面線Ｑ１と、第一の底壁部２２の外面、即ち、内容物収納部２０の底面に沿った底面線Ｏとのなす角度αが、９０°以下とされている。加えて、容器本体２は、第一の側壁部２４ｂに対向する第二の側壁部２４に沿った外面線Ｑ２と、底面線Ｏとのなす角度βが、９０°以下とされている。このような形状とされることで、キャビティプレートから容器本体２を抜き出すことができる。
【００２１】
かかる形状の容器本体２の成形は、例えば、以下の手順で行われる。まず、コアプレートとキャビティプレートとをＰＬで嵌合させた後、収納部ヒンジ５０の近傍に設けたゲートから、コアプレートとキャビティプレートとで形成された空間部分に樹脂を射出する。樹脂が硬化した後、コアプレートとキャビティプレートを開いて、容器本体２を取り出す。こうして、内容物収納部２０、計量具収納部１０、収納部ヒンジ５０、第一の嵌合部６０及び第二の嵌合部６２が一体成形された容器本体２を得ることができる。
【００２２】
次に、粉粒物用容器１の使用態様について、図１、３、７〜９を用いて説明する。
まず、容器本体２の内容物収納部２０内に内容物を収納する。内容物としては、粉粒物であれば特に限定されず、衣料用洗濯洗剤、自動食器洗浄機用洗剤等の粉粒状洗剤、粉粒状の調味料等が挙げられる。次いで、計量スプーン等の計量具を計量具収納部１０内に収納した後、蓋体４を容器本体２に取り付け、蓋体４を閉じる（図３）。蓋体４を閉じると、蓋体４の内面が、第一の側壁部２４の上端及び第二の側壁部１４の上端に当接し、第一の開口部２１及び第二の開口部１１は、蓋体４により塞がれ、計量具収納部１０は、内容物収納部２０から隔離される。なお、蓋体４を閉じた状態を、以下「常態」という。
【００２３】
このように、計量具収納部１０が内容物収納部２０から隔離されることで、粉粒物用容器１は、落下したり、外部からの振動を受けた際に、内容物収納部２０内の内容物が計量具収納部１１内に浸入するのを防止できる。
【００２４】
内容物を使用する際には、図１のように蓋体４を開け、計量具収納部１０から計量具を取り出す。次いで、取り出した計量具により、内容物収納部２０内の内容物を掬い取って計量する。この際、計量具の持ち手には、内容物が付着していないため、使用者は、手指を汚すことがない。
内容物を計量した後、計量具を計量具収納部１０に収納し、蓋体４を閉じることで常態とし（以上、計量操作）、内容物と計量具とが収納された粉粒物用容器１を保管できる。
【００２５】
上述の計量操作の際に、計量具の持ち手以外の部分に付着した内容物が、計量具収納部１０内に持ち込まれ、計量操作を繰り返すと、計量具収納部１０内での内容物の堆積量が増加する。この内容物の堆積量が増加すると、計量具収納部１０内に計量具を収納しにくくなったり、あるいは粉粒物用容器１に振動を与えた場合に、堆積した内容物が舞い上がって計量具の持ち手に付着する。
そこで、計量具収納部１０内に持ち込まれた内容物を、以下の操作により内容物収納部２０内に戻すことができる。
【００２６】
まず、収納部ヒンジ５０を軸とし、第二の側壁部１４ｂが第一の側壁部２４ｂから離れる方向に計量具収納部１０を回動させる（図７）。この際、図７（ｂ）に示すように、嵌合部先端６５が第一の側壁部２４ｂに接続されたまま、鉛直部６６が第一の嵌合部６０から離脱することにより、第二の嵌合部６２と第一の嵌合部６０との嵌合が解除される。鉛直部６６が第一の嵌合部６０から離脱すると、計量具収納部１０は、収納部ヒンジ５０を軸として回動自在となる。
【００２７】
第二の開口部１１が第一の開口部２１に対向するように、計量具収納部１０をさらに回動させる（図８〜９）。この際、計量具収納部１０内の内容物は、矢印Ａ（図８（ｂ）、図９）のように内容物収納部２０内に流入する。なお、図８（ｂ）は、図８（ａ）を第二の開口部１１側から見た部分拡大図である。
このように、計量具収納部１０を取り外すことなく、回動させるという容易な操作のみで、計量具収納部１０内から内容物を排出し、かつ内容物収納部２０内に戻すことができる。
【００２８】
計量具収納部１０内の内容物を内容物収納部２０内に流入させた後、第二の側壁部１４ｂが第一の側壁部２４ｂに近づく方向に計量具収納部１０を回動させ、鉛直部６６を第一の嵌合部６０に嵌合させ、蓋体を閉じて、粉粒物用容器１を常態とする。こうして、第一の嵌合部６０と第二の嵌合部６２とが嵌合することで、計量具収納部１０は、内容物収納部２０に固定される。
【００２９】
本実施形態によれば、計量具収納部が有底筒状とされているため、使用後の計量具を容易に収納することができる。加えて、計量具収納部が、内容物収納部から隔離されるため、計量具が内容物に埋没することがなく、かつ内容物が計量具収納部に侵入し計量具の持ち手に付着するのを防止できる。さらに、計量具収納部を回動させるという容易な操作で、計量具収納部に持ち込まれた内容物を内容物収納部に戻すことができる。
【００３０】
一般に、粉粒物用容器を流通・保管する際には、蓋体と容器本体とを個別に流通・保管する。
本実施形態によれば、計量具収納部の側壁部とこれに対向する内容物収納部の側壁部とが、容器本体の底部から開口部に向かって漸次近づくものとされ、かつ第二の嵌合部が第二の開口部側に設けられている。このような構成により、容器本体の内面形状が、容器本体の外面形状を嵌入可能とされているため、容器本体同士を重ね合わせて保管でき、保管場所の省スペース化が図れる。
【００３１】
本実施形態によれば、第一の嵌合部と第二の嵌合部とが設けられているため、常態において計量具収納部を内容物収納部に固定できる。そして、計量具収納部が内容物収納部に固定されているため、計量操作時や流通・保管時における計量具収納部の揺動がなく、計量具収納部内に持ち込まれた内容物が舞い上がって計量具の持ち手に付着することがない。加えて、計量具収納部の側壁部と内容物収納部の側壁部とが離間して形成された間隙に、手指を挿入し、容器本体を安定して把持できる。
【００３２】
本実施形態によれば、内容物収納部、計量具収納部、収納部ヒンジ、第一の嵌合部及び第二の嵌合部を一体成形できるため、容易かつ安価に容器本体を製造できる。
【００３３】
（第二の実施形態）
本発明の第二の実施形態にかかる粉粒物用容器について、以下に図面を参照して説明する。
図１０は、第二の実施形態の粉粒物用容器１００の蓋体を開いた状態の斜視図であり、図１１は、図１０のＺ−Ｚ断面図である。なお、第一の実施形態と同じ部材には、同じ符号を付し、その説明を省略する。
図１０〜１１に示すように、粉粒物用容器１００は、容器本体１０２と、容器本体１０２を塞ぐ蓋体４とを備えたものであり、蓋体４は、蓋体ヒンジ５により開閉可能に容器本体１０２と蝶着されている。
【００３４】
容器本体１０２は、計量具収納部１１０が内容物収納部１２０に対し水平方向に並設されたものであり、全体として平面視略長方形とされている。
内容物収納部１２０は、平面視略長方形の第一の底壁部１２２と、この第一の底壁部１２２の周縁に立設された第一の側壁部１２４とからなり、上方に第一の開口部１２１が形成された有底角筒状のものである。内容物収納部１２０は、対向する第一の側壁部１２４同士が、第一の底壁部１２２から第一の開口部１２１に向かって漸次離れる形状とされている。
【００３５】
計量具収納部１１０は、平面視略長方形の第二の底壁部１１２と、この第二の底壁部１１２の周縁に立設された第二の側壁部１１４とからなり、その内部に計量スプーン等の計量具を収納するものである。計量具収納部１１０は、平面視略長方形とされ、上方に第二の開口部１１１が形成された有底角筒状のものであり、対向する第二の側壁部１１４同士が、第二の底壁部１１２から第二の開口部１１１に向かって漸次離れる形状とされている。
容器本体１０２の開口部は、第一の開口部１２１と第二の開口部１１１とからなる外縁を意味する。
【００３６】
計量具収納部１１０は、２つの収納部ヒンジ１５０により、内容物収納部１２０に蝶着されている。この収納部ヒンジ１５０は、第一の側壁部１２４の内、計量具収納部１１０に対向する第一の側壁部１２４ａの第一の開口部１２１側と、これに対向する第二の側壁部１１４ａの第二の開口部１１１側とを接続し、第一の開口部１２１に第二の開口部１１１が対向するように、計量具収納部１１０を回動できるものである。本実施形態において、収納部ヒンジ１５０は、対向する第一の側壁部１２４ａと第二の側壁部１１４ａとの間に架設された薄肉の部材である。
【００３７】
第二の側壁部１１４ａには、第二の底壁部１１２から第二の開口部１１１方向に向かって延びる凸条である第二の嵌合部１６２が突設されている。この第二の嵌合部１６２は、その幅Ｄ（図１１）が、第二の底壁部１１２から第二の開口部１１１に向かって暫時小さくなるものとされている。
第一の側壁部１２４ａには、第一の底壁部１２２から第一の開口部１２１側に向かって延びる凹条である第一の嵌合部１６０が設けられている。この第一の嵌合部１６０は、第一の開口部１２１と第二の開口部１１１とが略面一とされた際に、第二の嵌合部１６２と嵌合するものである。
【００３８】
容器本体１０２の材質は、第一の実施形態における容器本体２と同様である。
粉粒物用容器１００の製造は、第一の実施形態における粉粒物用容器１の製造方法と同様である。
粉粒物用容器１００の使用態様は、第一の実施形態における粉粒物用容器１の使用態様と同様である。
【００３９】
本実施形態によれば、第二の嵌合部は、第一の実施形態における嵌合部先端のような微細な構造を備えないため、第一の実施形態に比べて、耐久性が向上すると共に、比較的容易に金型を作製でき、容器本体の製造が容易である。
【００４０】
（その他の実施形態）
本発明の粉粒物用容器は、上述の実施形態に限定されるものではない。
第一及び第二の実施形態では、第一の嵌合部と第二の嵌合部とが設けられているが、本発明は、これに限定されず第一の嵌合部及び第二の嵌合部が設けられていなくてもよい。ただし、粉粒物用容器の流通・保管時、計量操作時の計量具収納部の揺動を防止する観点から、粉粒物用容器には、第一の嵌合部及び第二の嵌合部が設けられていることが好ましい。
【００４１】
第一及び第二の実施形態では、第一の嵌合部が凹条とされ、第二の嵌合部が凸条とされているが、第一の嵌合物と第二の嵌合部とは、計量具収納部を内容物収納部に固定できるものであればよく、例えば、第一の嵌合部が凸条とされ、第二の嵌合部が凹条とされていてもよい。
【００４２】
第一の実施形態では、内容物収納部の底壁部が平面視略Ｌ字状とされているが、本発明はこれに限定されず、例えば、矩形、三角形等の多角形とされていてもよいし、欠円形とされていてもよい。
第二の実施形態では、内容物収納部の底壁部が平面視略長方形とされているが、本発明はこれに限定されず、例えば、三角形、正方形、五角形等、長方形以外の多角形とされていてもよいし、欠円形とされていてもよい。
【００４３】
第一及び第二の実施形態では、計量具収納部の底壁部が平面視略長方形とされているが、本発明はこれに限定されず、例えば、三角形、正方形、五角形等、長方形以外の多角形とされていてもよいし、欠円形とされていてもよい。
【００４４】
第一及び第二の実施形態では、蓋体が蓋体ヒンジを介して容器本体に蝶着されているが、本発明はこれに限定されず、例えば、蓋体ヒンジを介さずに着脱自在な蓋体が設けられていてもよい。
【００４５】
第一及び第二の実施形態では、内容物収納部と計量具収納部とを一体成形して容器本体を製造しているが、本発明はこれに限定されず、例えば、内容物収納部と計量具収納部とを個別に成形した後、計量具収納部と内容物収納部とを別途に用意したヒンジで接続してもよい。ただし、容易かつ安価に製造する観点から、内容物収納部、計量具収納部、収納部ヒンジ、第一の嵌合部及び第二の嵌合部を一体成形して容器本体を製造することが好ましい。
【符号の説明】
【００４６】
１、１００  粉粒物用容器
２、１０２  容器本体
７    底部
１０、１１０  計量具収納部
１１、１１１  第二の開口部
１２、１１２  第二の底壁部
１４、１４ａ、１４ｂ、１１４、１１４ａ  第二の側壁部
２０、１２０  内容物収納部
２１、１２１  第一の開口部
２２、１２２  第一の底壁部
２４、２４ａ、２４ｂ、１２４、１２４ａ  第一の側壁部
５０、１５０  収納部ヒンジ
６０、１６０  第一の嵌合部
６２、１６２  第二の嵌合部
【図１】
0005518583.tif 000002
【図２】
0005518583.tif 000003
【図３】
0005518583.tif 000004
【図４】
0005518583.tif 000005
【図５】
0005518583.tif 000006
【図６】
0005518583.tif 000007
【図７】
0005518583.tif 000008
【図８】
0005518583.tif 000009
【図９】
0005518583.tif 000010
【図１０】
0005518583.tif 000011
【図１１】
0005518583.tif 000012